(57)【要約】【課題】迅速に、サービスを享受することが可能なコンテンツ管理システムを提供する。【解決手段】コンテンツ管理システムは、通信端末装置と、映像表示装置と、サービスサーバとを含む。通信端末装置は、ユーザの指示入力に応じて、映像表示装置を操作するための制御信号を、映像表示装置へ送信する。映像表示装置は、表示手段により表示されているコンテンツの情報と、制御信号に含まれる端末識別情報と、映像表示装置を特定するための表示装置特定情報とを含むコンテンツ関連データを、サービスサーバへ送信する。サービスサーバは、コンテンツ関連データを受信すると、サービスを、表示装置特定情報により特定される映像表示装置へ提供する。【選択図】図１３
2008131376.tif 000002
【特許請求の範囲】
【請求項１】
通信端末装置と、映像表示装置と、サービスサーバとを含むコンテンツ管理システムであって、
前記通信端末装置は、
前記通信端末装置を識別するための端末識別情報を含むとともに、ユーザの指示入力に応じて、前記映像表示装置を操作するための制御信号を、前記映像表示装置へ送信する送信手段を備え、
前記映像表示装置は、
前記制御信号を受信する第１受信手段と、
受信された前記制御信号に基づいて、コンテンツを表示する表示手段と、
前記表示手段により表示されているコンテンツの情報と、前記制御信号に含まれる前記端末識別情報と、前記映像表示装置を特定するための表示装置特定情報とを含むコンテンツ関連データを、前記サービスサーバへ送信する送信手段とを備え、
前記サービスサーバは、
前記送信手段により送信された前記コンテンツ関連データを受信する第２受信手段と、
前記コンテンツ関連データを記憶する記憶手段と、
サービスを、前記コンテンツ関連データに含まれる前記表示装置特定情報により特定される前記映像表示装置へ提供する提供手段とを備える、コンテンツ管理システム。
【請求項２】
前記サービスサーバの前記第２受信手段は、互いに異なる複数の前記映像表示装置がそれぞれ表示する複数のコンテンツの情報を、前記複数の映像表示装置から受信し、
前記記憶手段は、受信した前記複数のコンテンツの情報を記憶する、請求項１に記載のコンテンツ管理システム。
【請求項３】
前記サービスサーバは、さらに、
前記複数のコンテンツの情報に基づく集計処理を行なう集計手段を備え、
前記提供手段が前記映像表示装置へ提供するサービスは、前記集計処理により得られるコンテンツの視聴情報の提供である、請求項２に記載のコンテンツ管理システム。
【発明の詳細な説明】
【技術分野】
【０００１】
本発明は、コンテンツ管理システムに関し、特に、コンテンツの表示制御を行なうコンテンツ管理システムに関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００４】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術（以下、第１の先行技術ともいう）が開示されている。
【特許文献１】特開２００２−１３５８１０号公報
【発明の開示】
【発明が解決しようとする課題】
【０００５】
最近では、インターネットを利用して、様々なサービスを享受する場面が増えつつある。特開２００２−１３５８１０号公報（特許文献１）には、サーバが、携帯電話の番組ヒストリ情報等に基づいて、直接、携帯電話にレコメンドサービスを提供する技術が開示されている。そのため、特開２００２−１３５８１０号公報（特許文献１）に開示されている技術では、たとえば、ユーザがＴＶを視聴しているときに、携帯電話にサービスが提供され、当該サービスが、たとえば、コンサートの事前予約ができるサービスであった場合、当該サービスに気付くのに遅れて、コンサートの予約に間に合わないといったケースも生じる。すなわち、サービスを享受し損ねる可能性があるという問題点がある。
【０００６】
本発明は、上述の問題点を解決するためになされたものであって、その目的は、迅速に、サービスを享受することが可能なコンテンツ管理システムを提供することである。
【課題を解決するための手段】
【０００７】
上述の課題を解決するために、この発明のある局面に従うと、通信端末装置と、映像表示装置と、サービスサーバとを含むコンテンツ管理システムであって、通信端末装置は、通信端末装置を識別するための端末識別情報を含むとともに、ユーザの指示入力に応じて、映像表示装置を操作するための制御信号を、映像表示装置へ送信する送信手段を備え、映像表示装置は、制御信号を受信する第１受信手段と、受信された制御信号に基づいて、コンテンツを表示する表示手段と、表示手段により表示されているコンテンツの情報と、制御信号に含まれる端末識別情報と、映像表示装置を特定するための表示装置特定情報とを含むコンテンツ関連データを、サービスサーバへ送信する送信手段とを備え、サービスサーバは、送信手段により送信されたコンテンツ関連データを受信する第２受信手段と、
コンテンツ関連データを記憶する記憶手段と、サービスを、コンテンツ関連データに含まれる表示装置特定情報により特定される映像表示装置へ提供する提供手段とを備える。
【０００８】
好ましくは、サービスサーバの第２受信手段は、互いに異なる複数の映像表示装置がそれぞれ表示する複数のコンテンツの情報を、複数の映像表示装置から受信し、記憶手段は、受信した複数のコンテンツの情報を記憶する。
【０００９】
好ましくは、サービスサーバは、さらに、複数のコンテンツの情報に基づく集計処理を行なう集計手段を備え、提供手段が映像表示装置へ提供するサービスは、集計処理により得られるコンテンツの視聴情報の提供である。
【発明の効果】
【００１０】
本発明に係るコンテンツ管理システムは、通信端末装置と、映像表示装置と、サービスサーバとを含む。通信端末装置は、ユーザの指示入力に応じて、映像表示装置を操作するための制御信号を、映像表示装置へ送信する。映像表示装置は、表示手段により表示されているコンテンツの情報と、制御信号に含まれる端末識別情報と、映像表示装置を特定するための表示装置特定情報とを含むコンテンツ関連データを、サービスサーバへ送信する。サービスサーバは、コンテンツ関連データを受信すると、サービスを、表示装置特定情報により特定される映像表示装置へ提供する。なお、映像表示装置は、ユーザの指示入力に応じて、制御信号を送信する通信端末装置により操作される。すなわち、ユーザにより操作される映像表示装置に、サービスが提供される。
【００１１】
したがって、ユーザは、提供されたサービスを迅速に気付くことができる。その結果、迅速に、サービスを享受することができるという効果を奏する。
【発明を実施するための最良の形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
本発明において取り扱うコンテンツとは、映像、音声、画像などのデジタルデータおよびそれらに関連する関連情報などを意図している。当然のことながら、上記コンテンツと同様の扱い方をされるものであれば、コンテンツはデジタルデータに限定されるものではない。また、コンテンツが、テレビ放送、インターネット放送、携帯電話網などのネットワークを介して提供されるならば、一つのコンテンツが複数のネットワークから提供されることも可能である。
【００１４】
（システムの構成）
図１は、本実施の形態におけるネットワークシステム１０００の構成を示す図である。図１を参照して、ネットワークシステム１０００には、ホームネットワーク５０１．１，５０１．２，・・・，５０１．ｎが含まれる。以下においては、ホームネットワーク５０１．１，５０１．２，・・・，５０１．ｎ（ｎ：自然数）を総括的に、ホームネットワーク５０１ともいう。
【００１５】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００１６】
通信端末装置５００は、携帯電話である。なお、通信端末装置５００は、携帯電話に限定されることなく、通信機能を備え、携帯可能な装置であればどのような装置（たとえば
、ＰＤＡ（Personal Digital Assistance）、ＰＣ（Personal Computer））でもよい。
【００１７】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００１８】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＰＣ、ＳＴＢ（Set Top Box）、ＨＤＤレコーダ、ＤＶＤ（Digital Versatile Disc）レコーダ等である。この場合、画像データ送信装置と表示装置の接続方法は特に規定されない。
【００１９】
通信端末装置５００と、映像表示装置６００とは、無線または有線でデータ通信を行なう。すなわち、通信端末装置５００と、映像表示装置６００とから映像表示システムが構成される。
【００２０】
通信部５０は、通信端末装置５００、映像表示装置６００およびネットワーク７０の各々と、データ通信を行なう機能を有する。ネットワーク７０は、インターネットなどの外部のネットワークである。
【００２１】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用して、複数の機器と同時にデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００２２】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００２３】
また、ネットワーク７０は、電話網６０と、無線または有線によりデータ通信可能である。したがって、通信端末装置５００は、電話網６０を介して、ネットワーク７０とデータ通信可能である。
【００２４】
ネットワークシステム１０００には、さらに、サービスサーバ８００Ａと、検索サーバ８００Ｓと、Ｗｅｂサーバ８００Ｗとが含まれる。
【００２５】
サービスサーバ８００Ａは、コンテンツおよび、コンテンツに関連する情報等を提供するサーバである。コンテンツは、たとえば、動画像、音楽データ等である。コンテンツが
、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００２６】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００２７】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００２８】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００２９】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００３０】
サービスサーバ８００Ａ、検索サーバ８００ＳおよびＷｅｂサーバ８００Ｗの各々は、ネットワーク７０と、無線または有線でデータ通信を行なう。
【００３１】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００３２】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネ
ットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００３３】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００３４】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００３５】
（通信端末装置）
次に、通信端末装置５００について詳細に説明する。
【００３６】
図２は、通信端末装置５００の外観を正面から示した図である。図２を参照して、通信端末装置５００は、表示部５３０と、音声出力部５７０と、ＬＥＤ５７６と、入力部５４０とを備える。
【００３７】
表示部５３０は、文字や画像等を表示する機能を有する。表示部５３０は、ＬＣＤパネル（Liquid Crystal Display Panel）、ＦＥＤパネル（Field Emission Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００３８】
表示部５３０の解像度は、横４８０（ドット）×縦６４０（ドット）である。なお、表示部５３０の解像度は、横４８０（ドット）×縦６４０（ドット）に限定されることなく、他の解像度（たとえば、横２４０（ドット）×縦３２０（ドット））であってもよい。
【００３９】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００４０】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００４１】
ＬＥＤ５７６は、通信端末装置５００で行なわれる処理に応じて、光による報知を行なう。たとえば、ＬＥＤ５７６は、電話の着信があった場合、光を点滅させる。
【００４２】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる
長時間（たとえば、一秒以上）の押下操作（以下、長押操作ともいう）により、たとえば画面をそれぞれ、上，下，左，右に画面スクロールすることも可能である。
【００４３】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００４４】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００４５】
機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００４６】
入力部５４０は、さらに、数字ボタン群５４６を含む。数字ボタン群５４６は、１２個の数字ボタンを含む。なお、数字ボタン群５４６に含まれる数字ボタンの数は、１２個に限定されない。１２個の数字ボタンの各々は、短押操作により、数字、文字または記号等を入力するためのボタンである。１２個の数字ボタンの名称は、それぞれ、０ボタン，１ボタン，２ボタン，３ボタン，４ボタン，５ボタン，６ボタン，７ボタン，８ボタン，９ボタン，記号ボタン１、記号ボタン２という。
【００４７】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００４８】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００４９】
図３は、通信端末装置５００の外観を左側面から示した図である。図３を参照して、通信端末装置５００は、記録媒体挿入部５５０Ａを備える。記録媒体挿入部５５０Ａは、通信端末装置５００に後述する記録媒体を挿入する部分である。
【００５０】
図４は、通信端末装置５００の外観を背面から示した図である。図４を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００５１】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用
した素子である。
【００５２】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００５３】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００５４】
図５は、通信端末装置５００の内部構成を示したブロック図である。なお、図５には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００５５】
図５を参照して、通信端末装置５００は、さらに、制御部５１０と、一時記憶部５２２と、記憶部５２０とを備える。
【００５６】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００５７】
制御部５１０は、記憶部５２０に記憶されたプログラム１８０に従って、通信端末装置５００内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）、ＤＳＰ（Digital Signal Processor）およびその他の演算機能を有する回路のいずれであってもよい。
【００５８】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access
Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory（登録商標））、Ｄｉｒｅｃｔ−ＲＤＲＡＭ（Direct Rambus Dynamic Random Access Memory（登録商標））、その他、データを揮発的に記憶保持可能な構成を有する回路のいずれであってもよい。
【００５９】
通信端末装置５００は、さらに、アンテナ５０２と、チューナ５０５と、データ処理部５０７とを備える。
【００６０】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００６１】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データ
およびテキストデータの各々の配置位置や、動作などの制御を行なうためのデータである。チューナ５０５は、受信した放送信号を、データ処理部５０７へ送信する。
【００６２】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００６３】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００６４】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００６５】
また、受信した放送信号が、ディジタル放送に基づく信号である場合、データ処理部５０７は、以下の処理を行なう。まず、データ処理部５０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００６６】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００６７】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００６８】
通信端末装置５００は、さらに、ＶＤＰ５３２と、ＶＲＡＭ（Video Random Access Memory）５３６とを備える。
【００６９】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示
させる指示である。
【００７０】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００７１】
通信端末装置５００は、さらに、入力部５４０と、記録媒体アクセス部５５０を備える。
【００７２】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００７３】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００７４】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００７５】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００７６】
記録媒体５５５は、フロッピー（登録商標）ディスク、ＣＦ(Compact Flash（登録商標）) カード、ＳＭ（Smart Media（登録商標））、ＭＭＣ（Multi Media Card（登録商標））、ＳＤ（Secure Digital（登録商標））メモリーカード、メモリースティック（登録商標）、ｘＤピクチャーカード（登録商標）および上記以外の不揮発性メモリのいずれであってもよい。
【００７７】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００７８】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００７９】
なお、通信部５６０は、パラレル転送を行なう通信用インターフェースの機能を有していてもよい。パラレル転送を行なう通信用インターフェースは、たとえば、セントロニクス準拠の規格またはＩＥＥＥ１２８４（Institute of Electrical and Electronic Engin
eers 1284）の規格に準拠したインターフェースである。また、通信部５６０は、ＩＥＥＥ１３９４またはＳＣＳＩ規格に基づく通信用インターフェースの機能を有していてもよい。
【００８０】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００８１】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができる。
【００８２】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００８３】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【００８４】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００８５】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００８６】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００８７】
通信部５６６は、最寄の基地局と通信を行なうことで、基地局の位置を示す情報（以下、基地局位置情報ともいう）も取得可能である。通信部５６６は、制御部５１０からの制
御指示に応じて、取得した基地局位置情報を、制御部５１０へ送信する。制御部５１０は、受信した基地局位置情報に基づいて、通信端末装置５００の位置を大まかに把握することができる。
【００８８】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００８９】
制御部５１０は、前述した音声出力部５７０，５７２、音声入力部５７４とデータ通信する。
【００９０】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【００９１】
ユーザが音声入力部５７４に含まれるマイクに対して音声を発すると、音声入力部５７４は、マイクにより取得した音声を音声データに変換して、音声データを、制御部５１０へ送信する。
【００９２】
制御部５１０は、前述したＬＥＤ５７６、撮像部５７８とデータ通信する。ＬＥＤ５７６は、制御部５１０からの制御指示に基づいて、光を発する。
【００９３】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【００９４】
通信端末装置５００は、さらに、振動部５７９を備える。振動部５７９は、制御部５１０からの制御指示に基づいて、通信端末装置５００を振動させる機能を有する。振動部５７９は、たとえば、電話の着信、電子メールの受信時に、制御部５１０からの制御指示に基づいて、通信端末装置５００を振動させる。
【００９５】
通信端末装置５００は、さらに、ＲＦＩＤ５８０を備える。ＲＦＩＤ５８０は、たとえば、FeliCa（登録商標）などのセキュリティ機能をもったＲＦＩＤ（Radio Frequency Identification）に基づく集積回路で、非接触で図示しない読み取り端末と通信を行う。また、ＲＦＩＤ５８０は、制御部５１０からの制御指示に基づいて、端末ＩＤなどのデータを出力する。
【００９６】
（映像表示装置）
次に、映像表示装置６００について詳細に説明する。
【００９７】
図６は、映像表示装置６００の外観を正面から示した図である。図６を参照して、映像表示装置６００は、表示部６３０と、音声出力部６７０とを備える。
【００９８】
表示部６３０は、文字や画像等を表示する機能を有する。表示部６３０は、ＬＣＤパネル、ＣＲＴ（Cathode Ray Tube）、ＦＥＤパネル、ＰＤＰ（Plasma Display Panel）および有機ＥＬディスプレイパネルのいずれかを使用した装置である。なお、表示部６３０は
、上記以外の表示方式のパネルを使用した装置であってもよい。表示部６３０が表示可能な画像のサイズは、表示部５３０が表示可能な画像のサイズより大きい。また、表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度（たとえば、１０２４×７６８）であってもよい。表示部６３０の映像を表示する部分のアスペクト比は１６：９である。なお、アスペクト比は１６：９に限定されることなく、たとえば、４：３であってもよい。
【００９９】
音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１００】
図７は、映像表示装置６００の内部構成を示したブロック図である。なお、図７には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１０１】
図７を参照して、映像表示装置６００は、さらに、制御部６１０と、一時記憶部６２２と、記憶部６２０とを備える。
【０１０２】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤ、その他の各種データ等が記憶されている。
【０１０３】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１０４】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１０５】
映像表示装置６００は、さらに、アンテナ６０２と、チューナ６０５と、データ処理部６０７とを備える。
【０１０６】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１０７】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１０８】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１０９】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１１０】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１１】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１２】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１１３】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１１４】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１１５】
なお、映像表示装置６００は、複数種類のＴＶ画像を同時に、表示部６３０に表示する
機能を有する。また、映像表示装置６００は、ＴＶ画像と、他の種類の画像とを同時に、表示部６３０に表示する機能を有する。
【０１１６】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１１７】
映像表示装置６００は、さらに、ＶＤＰ６３２と、ＶＲＡＭ６３６とを備える。
ＶＲＡＭ６３６は、画像データを一時的に記憶する機能を有する。
【０１１８】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１１９】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１２０】
映像表示装置６００は、さらに、入力部６４０と、記録媒体アクセス部６５０とを備える。
【０１２１】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１２２】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１２３】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１２４】
記録媒体５５５Ａは、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、Ｍ
Ｏ（Magneto Optical Disk）、フロッピー（登録商標）ディスク、ＣＦカード（登録商標）、ＳＭ（Smart Media（登録商標））、ＭＭＣ（登録商標）、ＳＤメモリーカード（登録商標）、メモリースティック（登録商標）、ｘＤピクチャーカード、ＵＳＢメモリ、磁気テープおよび上記以外の不揮発性メモリのいずれであってもよい。
【０１２５】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１２６】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１２７】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１２８】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１２９】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１３０】
なお、前述した通信端末装置５００がリモコン３００の機能を有することも想定でき、通信端末装置５００、リモコン３００は、２つが存在する場合、および一方のみしか存在しない場合なども想定できる。
【０１３１】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１３２】
（サービスサーバ、検索サーバおよびＷｅｂサーバ）
図８は、サービスサーバ８００Ａの内部構成を示したブロック図である。図８を参照して、サービスサーバ８００Ａは、表示部８３０と、制御部８１０と、一時記憶部８２２と、記憶部８２０とを備える。
【０１３３】
表示部８３０は、文字や画像等を表示する機能を有する。表示部８３０は、前述の表示部６３０と同様なものであるので詳細な説明は繰り返さない。
【０１３４】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１３５】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１３６】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１３７】
サービスサーバ８００Ａは、さらに、ＶＤＰ８３２と、ＶＲＡＭ８３６とを備える。
ＶＲＡＭ８３６は、画像データを一時的に記憶する機能を有する。
【０１３８】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１３９】
ＶＤＰ８３２は表示部８３０と接続されている。ＶＤＰ８３２は、制御部８１０からの描画指示に応じて、記憶部５２０内の後述するプログラム１８０Ｂからフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１４０】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１４１】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１４２】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１４３】
なお、検索サーバ８００ＳおよびＷｅｂサーバ８００Ｗの各々も、前述したサービスサーバ８００Ａと同様な構成を有するので詳細な説明は繰り返さない。
【０１４４】
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１４５】
（リモコン）
図９は、一例としてのリモコン画像ＭＧ１００を示す図である。図９を参照して、リモコン画像ＭＧ１００には、ボタン画像ＭＢＧ１１０，ＭＢＧ１２０，ＭＢＧ１３０が配置される
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１４６】
ボタン画像ＭＢＧ１１０は、インターフェース操作Ｍにより、押下処理されることで、電源リモコン信号を、映像表示装置６００へ送信するためのボタン画像である。ここで、映像表示装置６００は、待機モードを有する。待機モードとは、表示部６３０に画像を表示させるための電源がオフであるために、表示部６３０が画像を表示できない状態であって、主電源がオフでない状態である。すなわち、待機モードとは、表示部６３０に画像が表示されていない状態であって、主電源がオフでない状態である。以下においては、表示部６３０に画像を表示させるための電源を画像表示電源ともいう。
【０１４７】
したがって、映像表示装置６００が待機モードの場合、電源リモコン信号を受信することにより、画像表示電源がオンされることにより、表示部６３０に画像を表示させることができる。なお、以下においては、画像表示電源がオンの状態の映像表示装置６００を通常モードともいう。すなわち、電源リモコン信号は、映像表示装置６００において、待機モードと、通常モードとを切替えるためのリモコン信号である。
【０１４８】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１４９】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１５０】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１５１】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００
へ送信するためのボタン画像である。音量ダウンリモコン信号は、映像表示装置６００の音声出力部６７０から出力される音声を小さくさせるためのリモコン信号である。
【０１５２】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行われた場合、リモコンチャンネル番号は、“１”になる。なお、チャンネルプラスリモコン信号は、ＴＶ画像のチャンネル番号を、１インクリメントさせるためのリモコン信号であってもよい。
【０１５３】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行われた場合、リモコンチャンネル番号は、“１２”になる。なお、チャンネルマイナスリモコン信号は、ＴＶ画像のチャンネル番号を、１デクリメントさせるためのリモコン信号であってもよい。
【０１５４】
リモコン画像ＭＧ１００には、さらに、ボタン画像ＭＢＧ１７０，ＭＢＧ１８０が配置される。ボタン画像ＭＢＧ１７０，ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１５５】
ボタン画像ＭＢＧ１７０は、インターフェース操作Ｍにより、押下処理されることで、設定画像表示リモコン信号を、映像表示装置６００へ送信するためのボタン画像である。設定画像表示リモコン信号は、映像表示装置６００の表示部６３０に、後述する設定画像を表示させるためのリモコン信号である。ボタン画像ＭＢＧ１８０は、インターフェース操作Ｍにより、押下処理されることで、詳細リモコン画像表示リモコン信号を、映像表示装置６００へ送信するためのボタン画像である。詳細リモコン画像表示リモコン信号は、映像表示装置６００の表示部６３０に、詳細リモコン画像を表示させるためのリモコン信号である。詳細リモコン画像とは、映像表示装置６００に対し頻繁に使用されるリモコン信号以外のリモコン信号を、映像表示装置６００へ送信するための画像である。
【０１５６】
以下においては、通信端末装置５００が、映像表示装置６００へリモコン信号を送信することで映像表示装置６００を操作可能な場合における、通信端末装置５００の動作モードを、リモコンモードともいう。
【０１５７】
なお、リモコンモードの通信端末装置５００において、数字ボタン群５４６に含まれる１２個の数字ボタンのいずれかが短押操作された場合、制御部５１０は、押下された数字ボタンに対応するリモコン信号を出力する。
【０１５８】
（データ通信）
次に、リモコンモードの通信端末装置５００で行なわれる処理（以下、操作判定処理Ｍともいう）と、通信端末装置５００から送信されるリモコン信号を受信した場合に映像表示装置６００で行なわれる処理（以下、制御信号対応処理Ｔともいう）について説明する。
【０１５９】
図１０は、操作判定処理Ｍおよび制御信号対応処理Ｔのフローチャートである。図１０を参照して、通信端末装置５００が行なう操作判定処理Ｍでは、まず、ステップＳ１０の処理が行なわれる。
【０１６０】
ステップＳ１０では、制御部５１０が、制御操作があるか否かを判定する。ここで、制御操作は、表示部５３０に対するタッチ操作、または、通信端末装置５００の外部に設けられた複数の外部ボタンのいずれかの押下操作である。複数の外部ボタンは、方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂ、数字ボタン群５４６に含まれる１２個の数字ボタンである。ステップＳ１０において、ＹＥＳならば、ステップＳ１２に進む。一方、ステップＳ１０において、ＮＯならば、再度、ステップＳ１０の処理が行なわれる。
【０１６１】
ステップＳ１２では、制御部５１０が、通信部５６０を利用して、制御操作に対応する、映像表示装置６００を操作するための制御信号としてのリモコン信号を、映像表示装置６００へ送信する。ステップＳ１２の処理が終了すると、再度、ステップＳ１０の処理が行なわれる。
【０１６２】
映像表示装置６００が行なう制御信号対応処理Ｔでは、まず、ステップＳ２０の処理が行なわれる。
【０１６３】
ステップＳ２０では、制御部６１０が、制御信号としてのリモコン信号を受信したか否かを判定する。ステップＳ２０において、ＹＥＳならば、ステップＳ２２に進む。一方、ステップＳ２０において、ＮＯならば、再度、ステップＳ２０の処理が行なわれる。
【０１６４】
ステップＳ２２では、制御信号対応処理が行なわれる。制御信号対応処理では、制御部６１０が、受信したリモコン信号に応じた処理を行なう。ステップＳ２２の処理が終了すると、再度、ステップＳ２０の処理が行なわれる。
【０１６５】
（番組データの取得）
次に、映像表示装置６００が、番組データを取得するための処理（以下、番組データ取得処理Ｔともいう）について説明する。映像表示装置６００は、待機モードおよび通常モードのいずれであっても、番組データ取得処理Ｔを行なう。待機モードとは、表示部６３０に画像が表示されていない状態であって、主電源がオフでない状態である。映像表示装置６００は、待機モードであっても、通信部５０とデータ通信可能である。なお、番組データ取得処理Ｔは、他の処理とは、独立して行なわれる処理である。
【０１６６】
なお、映像表示装置６００では、待機モードおよび通常モードのいずれであっても、制御部６１０が、現在の日時を管理する日時管理処理を、他の処理とは独立して行なっている。日時管理処理により管理されている現在の日時の情報は、時間の経過と共に変化する。
【０１６７】
図１１は、番組データ取得処理Ｔおよびサービスサーバ８００Ａで行なわれる処理のフローチャートである。図１１を参照して、映像表示装置６００が行なう番組データ取得処理Ｔでは、まず、ステップＳ１４０の処理が行なわれる。
【０１６８】
ステップＳ１４０では、制御部６１０が、日時管理処理により管理されている現在の時刻が、番組データ取得時刻であるか否かを判定する。映像表示装置６００は、予め設定された時刻であって、番組データを取得する時刻である。番組データは、一例として、ＥＰＧデータであるとする。ここで、番組データ取得時刻は、たとえば、１日のうちの所定時刻（たとえば、午前５時）であるとする。なお、番組データ取得時刻は、上記に限定され
ない。番組データ取得時刻は、１週間のうちの特定の曜日の特定の時刻であってもよい。この場合、映像表示装置６００は、１週間分の番組データを取得する。
【０１６９】
ステップＳ１４０において、ＹＥＳならば、ステップＳ１４２に進む。一方、ステップＳ１４０において、ＮＯならば、再度、ステップＳ１４０の処理が行なわれる。
【０１７０】
ステップＳ１４２では、制御部６１０が、番組データ取得要求を、サービスサーバ８００Ａへ送信する。番組データ取得要求とは、番組データとしてのＥＰＧデータを取得するための要求である。そして、ステップＳ１４２の処理は終了する。
【０１７１】
サービスサーバ８００Ａでは、まず、ステップＳ１８０の処理が行なわれる。
ステップＳ１８０では、制御部８１０が、番組データ取得要求を受信したか否かを判定する。ステップＳ１８０において、ＹＥＳならば、ステップＳ１８２に進む。一方、ステップＳ１８０において、ＮＯならば、再度、ステップＳ１８０の処理が行なわれる。
【０１７２】
ステップＳ１８２では、制御部８１０が、番組データ取得要求を送信した装置に対し、番組データとしてのＥＰＧデータを送信する。その後、再度、ステップＳ１８０の処理が行なわれる。送信されるＥＰＧデータは、以下のＥＰＧデータＤ１００であるとする。
【０１７３】
図１２は、一例としてのＥＰＧデータＤ１００を示す図である。図１２を参照して、ＥＰＧデータＤ１００は、たとえば、１日分の複数の番組情報データから構成される。「番号」とは、複数の番組情報データを特定するための番号である。「ＩＤ番号」とは、番組を識別するための番号である。「チャンネル番号」とは、放送局に割り当てられているチャンネル番号である。「放送局コード」とは、放送局に割り当てられているコード番号である。「放送局名」とは、放送局の名称である。
【０１７４】
「タイトル」とは、対応する番組のタイトルを示す。「開始日時」とは、対応する番組の放送開始日時を示す。「終了日時」とは、対応する番組の放送終了日時を示す。「ジャンル」とは、対応する番組のジャンルを示す。「出演者」とは、対応する番組の主な出演者である。「番組内容」とは、対応する番組の簡単な内容を示す。なお、ＥＰＧデータＤ１００には、さらに、「音声情報」が含まれてもよい。「音声情報」とは、対応する番組の音声が、ステレオおよびモノラルのいずれであるかを示す情報である。
【０１７５】
映像表示装置６００では、ステップＳ１４２の処理の後、ステップＳ１４４に進む。
ステップＳ１４４では、制御部６１０が、番組データとしてのＥＰＧデータを受信したか否かを判定する。ステップＳ１４４において、ＹＥＳならば、ステップＳ１４６に進む。一方、ステップＳ１４４において、ＮＯならば、再度、ステップＳ１４４の処理が行なわれる。ここでは、図１２のＥＰＧデータＤ１００を受信したとして、ステップＳ１４６に進む。
【０１７６】
ステップＳ１４６では、制御部６１０が、受信した番組データとしてのＥＰＧデータを、記憶部６２０に記憶させる。その後、再度、ステップＳ１４０の処理が行なわれる。
【０１７７】
以上の処理により、記憶部６２０に番組データ（ＥＰＧデータ）が記憶される。
（コンテンツの処理）
次に、映像表示装置６００が、コンテンツを表示するための処理（以下、コンテンツ取扱い処理ともいう）について説明する。なお、映像表示装置６００は、待機モードであるとする。前述したように、映像表示装置６００は、待機モードであっても、通信部５０とデータ通信可能である。
【０１７８】
ここで、通信端末装置５００は、リモコンモードに設定されているとする。また、通信端末装置５００の表示部５３０には、図９のリモコン画像ＭＧ１００が表示されているとする。
【０１７９】
図１３は、コンテンツ取扱い処理のフローチャートである。図１３では、通信端末装置５００および映像表示装置６００およびサービスサーバ８００Ａの各々において行なわれる処理を示す。図１３を参照して、通信端末装置５００では、まず、ステップＳ２１０の処理が行なわれる。
【０１８０】
ステップＳ２１０では、制御部５１０が、電源オン操作があるか否かを判定する。電源オン操作は、図９のボタン画像ＭＢＧ１１０を押下処理するためのインターフェース操作Ｍである。ステップＳ２１０において、ＹＥＳならば、ステップＳ２１２に進む。一方，ステップＳ２１０において、ＮＯならば、再度、ステップＳ２１０の処理が行なわれる。ここでは、電源オン操作があったとして、ステップＳ２１２に進む。
【０１８１】
ステップＳ２１２では、制御部５１０が、制御信号としての電源リモコン信号を、映像表示装置６００へ送信する。送信される電源リモコン信号には、通信端末装置５００の装置ＩＤが含まれる。ここで、装置ＩＤとは、装置を識別するための情報である。以下においては、通信端末装置５００の装置ＩＤを端末識別情報ともいう。端末識別情報は、一例として、“１１ＭＡ”であるとする。なお、端末識別情報は、通信端末装置５００に設定されている電話番号であってもよい。そして、ステップＳ２１２の処理は終了し、コンテンツ取扱い処理における通信端末装置５００の処理は終了する。
【０１８２】
映像表示装置６００では、ステップＳ２４０の処理が行なわれる。
ステップＳ２４０では、制御部６１０が、電源リモコン信号を受信したか否かを判定する。ステップＳ２４０において、ＹＥＳならば、ステップＳ２４１に進む。一方、ステップＳ２４０において、ＮＯならば、再度、ステップＳ２４０の処理が行なわれる。ここでは、端末識別情報（通信端末装置５００の装置ＩＤ）“１１ＭＡ”を含む電源リモコン信号を受信したとして、ステップＳ２４１に進む。
【０１８３】
ステップＳ２４１では、制御部６１０が、前述の画像表示電源をオンにさせ、映像表示装置６００を通常モードに設定する。これにより、表示部６３０に画像が表示可能となる。そして、制御部６１０は、電源リモコン信号に含まれる装置ＩＤ“１１ＭＡ”を、操作装置ＩＤとして、記憶部６２０に記憶させる。そして、ステップＳ２４２に進む。
【０１８４】
ステップＳ２４２では、制御部６１０が、コンテンツ表示処理を実行する。コンテンツ表示処理は、他の処理とは独立して行なわれる処理である。そして、ステップＳ２４２の処理は終了する。
【０１８５】
コンテンツ表示処理では、制御部６１０が、放送信号に基づく画像（以下、ＴＶ画像ともいう）を、表示部５３０に表示させるための処理である。
【０１８６】
ここで、本発明における映像表示装置６００が、通常モードから待機モードに移行する場合において、映像表示装置６００で行なわれる処理（以下、待機モード移行時処理ともいう）について説明する。
【０１８７】
待機モード移行時処理では、通常モードの映像表示装置６００が、電源リモコン信号を受信した場合、制御部６１０は、表示部６３０にＴＶ画像が表示されているか否かを判定する。ＴＶ画像が表示されていると判定された場合、制御部６１０は、当該ＴＶ画像のチャンネル番号を、記憶部６２０に記憶させる。一方、ＴＶ画像が表示されていると判定さ
れなかった場合、制御部６１０は、チャンネル番号を記憶させる処理を行なわない。そして、制御部６１０は、映像表示装置６００を、待機モードに設定する。以上により待機モード移行時処理は終了する。以下においては、待機モード移行時処理において、記憶部６２０に記憶されたチャンネル番号を、待機モード移行時チャンネル番号ともいう。
【０１８８】
次に、コンテンツ表示処理で行なわれる具体的な処理を説明する。コンテンツ表示処理では、制御部６１０が、記憶部６２０に待機モード移行時チャンネル番号が記憶されているか否かを判定する。待機モード移行時チャンネル番号が記憶されている場合、制御部６１０は、待機モード移行時チャンネル番号のＴＶ画像を、表示部６３０に表示させるための表示制御を行なう。当該表示制御は、制御部６１０が、チューナ６０５およびデータ処理部６０７に対して行なう制御である。
【０１８９】
一方、待機モード移行時チャンネル番号が記憶されていない場合、制御部６１０は、初期設定として設定されているチャンネル番号のＴＶ画像を、表示部６３０に表示させるための表示制御を行なう。初期設定として設定されているチャンネル番号とは、映像表示装置６００が初めて通常モードに設定された場合に、表示部６３０に表示させるＴＶ画像のチャンネル番号である。
【０１９０】
また、コンテンツ表示処理では、表示部６３０にＴＶ画像が表示された後、チャンネル変更信号を受信する毎に、図１０のステップＳ２２の制御対応信号処理が行なわれる。チャンネル変更信号は、前述した、チャンネルプラスリモコン信号またはチャンネルマイナスリモコン信号である。チャンネルプラスリモコン信号またはチャンネルマイナスリモコン信号は、リモコンモードの通信端末装置５００において、図１０のステップＳ１２の処理が行なわれることにより、通信端末装置５００から送信される信号である。
【０１９１】
ここで、チャンネルプラスリモコン信号は、ＴＶ画像のチャンネル番号を、１インクリメントさせるためのリモコン信号であるとする。また、チャンネルマイナスリモコン信号は、ＴＶ画像のチャンネル番号を、１デクリメントさせるためのリモコン信号であるとする。
【０１９２】
また、チャンネル変更信号は、ユーザによる、リモコン３００の数字ボタンの押下操作により、リモコン３００から出力されるリモコン信号であってもよい。また、チャンネル変更信号は、リモコンモードの通信端末装置５００において、数字ボタン群５４６に含まれる１２個の数字ボタンのいずれかが短押操作されたときに出力されるリモコン信号であってもよい。なお、チャンネル変更信号には、チャンネル変更信号を送信した装置の装置ＩＤが含まれる。なお、リモコン３００の装置ＩＤは、“１１ＲＭ”であるとする。
【０１９３】
ここで、制御対応信号処理では、制御部６１０が、表示部６３０に表示されているチャンネル番号のＴＶ画像を、受信したチャンネル変更信号に応じた、チャンネル番号のＴＶ画像に変更するための表示制御を行なう。当該表示制御は、前述したように、制御部６１０が、チューナ６０５およびデータ処理部６０７に対して行なう制御である。
【０１９４】
たとえば、表示部６３０に、チャンネル番号“１”のＴＶ画像が表示されているときに、制御部６１０が、チャンネル変更信号としてのチャンネルプラスリモコン信号を受信した場合、制御部６１０は、表示部６３０に、チャンネル番号“２”のＴＶ画像を表示させるための表示制御を行なう。
【０１９５】
そして、制御部６１０は、チャンネル変更信号に含まれる装置ＩＤを、操作装置ＩＤとして、記憶部６２０に記憶させる。既に、記憶部６２０に、操作装置ＩＤが記憶されている場合、制御部６１０は、既に記憶されている操作装置ＩＤを削除して、受信した、最新
のチャンネル変更信号に含まれる装置ＩＤを、新たな操作装置ＩＤとして、記憶部６２０に記憶させる。ここで、チャンネル変更信号を送信した装置は、端末識別情報（通信端末装置５００の装置ＩＤ）“１１ＭＡ”の通信端末装置５００であるとする。この場合、記憶部６２０には、操作装置ＩＤとして、端末識別情報“１１ＭＡ”が記憶される。
【０１９６】
なお、他の処理とは独立して行なわれるコンテンツ表示処理は、映像表示装置６００が待機モードになったときに終了する。なお、コンテンツ表示処理により、表示部６３０に表示されるコンテンツは、ＴＶ画像に限定されない。コンテンツ表示処理により、表示部６３０に表示されるコンテンツは、たとえば、動画像としてのコンテンツを配信するサーバから受信したコンテンツであってもよい。
【０１９７】
映像表示装置６００では、前述のステップＳ２４２の処理の後、ステップＳ２４３に進む。
【０１９８】
ステップＳ２４３では、制御部６１０が、コンテンツ関連データを、サービスサーバ８００Ａへ送信する。コンテンツ関連データは、表示部６３０に表示されるコンテンツの情報を含む情報である。送信されるコンテンツ関連データは、以下のコンテンツ関連データＴＤ２００であるとする。そして、ステップＳ２４３の処理は終了する。
【０１９９】
図１４は、一例としてのコンテンツ関連データＴＤ２００を示す図である。図１４を参照して、コンテンツ関連データＴＤ２００において、「日時」とは、コンテンツ関連データＴＤ２００が送信される日時を示す。「地域コード」は、映像表示装置６００が設置されている地域（場所）を示すコードである。映像表示装置６００が、たとえば、関西に設置されている場合、地域コード“１１ＡＤ”は、関西を示す地域コードとなる。なお、地域コードは、予め記憶部６２０に記憶されている。
【０２００】
「チャンネル番号」とは、ステップＳ２４３の処理が行なわれる時点において、コンテンツ表示処理により、表示部６３０に表示される、コンテンツとしてのＴＶ画像のチャンネル番号である。すなわち、「チャンネル番号」は、表示部６３０に表示されるコンテンツの情報である。なお、ステップＳ２４３の処理が行なわれる時点において、コンテンツ表示処理により、表示部６３０に表示される、コンテンツが、サーバからストリーミング配信される動画像データである場合、「チャンネル番号」の代わりに動画像データを特定するためのコンテンツＩＤが、コンテンツ関連データに示される。
【０２０１】
「放送局コード」とは、ステップＳ２４３の処理が行なわれる時点において、コンテンツ表示処理により、表示部６３０に表示される、コンテンツとしてのＴＶ画像のチャンネル番号に対応する放送局コードである（図１２参照）。「操作装置ＩＤ」は、コンテンツ関連データが送信される時点で、記憶部６２０に記憶されている操作装置ＩＤである。すなわち、「操作装置ＩＤ」は、コンテンツ関連データが送信される時点で表示部６３０に表示されているコンテンツを表示させるための制御を行なった装置のＩＤである。ここで、「操作装置ＩＤ」は、通信端末装置５００の端末識別情報（装置ＩＤ）“１１ＭＡ”であるとする。
【０２０２】
「データ送信装置ＩＤ」は、コンテンツ関連データを送信する装置ＩＤである。コンテンツ関連データを送信する映像表示装置６００の装置ＩＤは、一例として、“１１ＴＡ”であるとする。
【０２０３】
「送信元アドレス」とは、映像表示装置６００に設定されているネットワークアドレスである。送信元アドレスは、たとえば、グローバルＩＰアドレスである。以下においては、データ送信装置ＩＤおよび送信元アドレスを、コンテンツ関連データを送信した装置を
特定するための装置特定情報ともいう。また、コンテンツ関連データを送信した装置が、映像表示装置６００である場合、装置特定情報を、表示装置特定情報ともいう。
【０２０４】
再び、図１３を参照して、サービスサーバ８００Ａでは、ステップＳ２８０の処理が行なわれる。
【０２０５】
ステップＳ２８０では、制御部８１０が、コンテンツ関連データを受信したか否かを判定する。ステップＳ２８０において、ＹＥＳならば、ステップＳ２８２に進む。一方、ステップＳ２８０において、ＮＯならば、再度、ステップＳ２８０の処理が行なわれる。ここでは、図１４のコンテンツ関連データＴＤ２００を受信したとして、ステップＳ２８２に進む。
【０２０６】
ステップＳ２８２では、制御部８１０が、受信したコンテンツ関連データを、記憶部８２０に記憶させる。なお、記憶部８２０にコンテンツ関連データが既に記憶されている場合は、既に記憶されているコンテンツ関連データと、受信したコンテンツ関連データとを対応づけて記憶部８２０に記憶させる。これにより、記憶部８２０には、複数のコンテンツ関連データから構成されるコンテンツ関連データテーブルが記憶される。
【０２０７】
なお、記憶部８２０に記憶されているコンテンツ関連データの数が、データ蓄積しきい値より大きくなった場合、制御部８１０は、記憶部８２０に記憶されている複数のコンテンツ関連データのうち、最も古いコンテンツ関連データを削除する。この処理により、データ蓄積しきい値が、たとえば、“１００００”である場合、記憶部８２０には、１００００個以上のコンテンツ関連データは記憶されない。そして、ステップＳ２８２の処理は終了し、再度、ステップＳ２８０の処理が行なわれる。
【０２０８】
映像表示装置６００では、ステップＳ２４３の処理の後、ステップＳ２４４に進む。
ステップＳ２４４では、制御部８１０が、現時点で、コンテンツ表示処理により、表示部６３０に表示されるコンテンツが、ステップＳ２４３の処理が行なわれた時点におけるコンテンツと異なっているか否かを判定する。ステップＳ２４４において、ＹＥＳならば、再度、ステップＳ２４３の処理が行なわれる。一方、ステップＳ２４４において、ＮＯならば、ステップＳ２４７に進む。
【０２０９】
コンテンツ表示処理により、表示部６３０に表示されるコンテンツが、たとえば、ＴＶ画像である場合、ステップＳ２４４において、ＹＥＳと判定される場合は、ステップＳ２４３の処理が行なわれた時点におけるＴＶ画像のチャンネル番号と、現時点で、コンテンツ表示処理により、表示部６３０に表示されるＴＶ画像のチャンネル番号とが異なる場合である。
【０２１０】
ステップＳ２４７では、制御部６１０が、電源リモコン信号を受信したか否かを判定する。ステップＳ２４７において、ＹＥＳならば、ステップＳ２４８に進む。一方、ステップＳ２４７において、ＮＯならば、再度、ステップＳ２４４の処理が行なわれる。
【０２１１】
ここで、ステップＳ２４７において、電源リモコン信号を受信していないとする。この場合、ステップＳ２４４に進む。
【０２１２】
ステップＳ２４４では、前述したのと同様な処理が行なわれるので詳細な説明は繰り返さない。ここでは、ステップＳ２４３の処理が行なわれた時点におけるＴＶ画像のチャンネル番号と、現時点で、コンテンツ表示処理により、表示部６３０に表示されるＴＶ画像のチャンネル番号とが異なるとする。この場合、ステップＳ２４３に進む。ここで、現時点で、コンテンツ表示処理により、表示部６３０に表示されるＴＶ画像のチャンネル番号
は、“３”であるとする。
【０２１３】
ステップＳ２４３では、前述したのと同様な処理が行なわれるので詳細な説明は繰り返さない。この処理により、図１４のコンテンツ関連データＴＤ２００において、チャンネル番号が“１”から“３”に変更されたコンテンツ関連データが、サービスサーバ８００Ａへ送信される。
【０２１４】
サービスサーバ８００Ａでは、前述したステップＳ２８０，Ｓ２８２の処理が行なわれるので詳細な説明は繰り返さない。
【０２１５】
映像表示装置６００では、ステップＳ２４７において、ＹＥＳならば、ステップＳ２４８に進む。
【０２１６】
ステップＳ２４８では、制御部６１０が、前述の画像表示電源をオフにさせ、映像表示装置６００を待機モードに設定する。これにより、表示部６３０に表示されている画像が消去される。そして、コンテンツ取扱い処理における映像表示装置６００の処理は終了する。
【０２１７】
以上説明した、図１３のコンテンツ取扱い処理（Ｓ２１０，Ｓ２１２，Ｓ２４０〜Ｓ２４７）が、図１のホームネットワーク５０１．１，５０１．２，・・・，５０１．ｎの各々に含まれる、通信端末装置５００および映像表示装置６００により行なわれ、ステップＳ２４３の処理が繰返し行なわれることにより、ホームネットワーク５０１．１，５０１．２，・・・，５０１．ｎにそれぞれ含まれる複数の映像表示装置６００が、複数のコンテンツ関連データを、サービスサーバ８００Ａへ送信する。
【０２１８】
サービスサーバ８００Ａは、ステップＳ２８０，Ｓ２８２の処理を繰返し行なうことにより、複数のコンテンツ関連データを受信し、受信した複数のコンテンツ関連データを記憶部８２０に記憶させる。これらの処理により、サービスサーバ８００Ａの記憶部８２０には、以下のコンテンツ関連データテーブルＳＤ３００が記憶される。
【０２１９】
図１５は、一例としてのコンテンツ関連データテーブルＳＤ３００を示す図である。コンテンツ関連データテーブルＳＤ３００は、複数のコンテンツ関連データから構成される。図１５を参照して、コンテンツ関連データテーブルＳＤ３００において、「番号」とは、コンテンツ関連データを特定するための番号である。コンテンツ関連データテーブルＳＤ３００において、たとえば、番号“１”のコンテンツ関連データは、図１４のコンテンツ関連データＴＤ２００である。
【０２２０】
（サービスの提供）
次に、サービスサーバ８００Ａが、サービスを提供するための処理（以下、サービス提供処理Ｓ）について説明する。ここで、サービスサーバ８００Ａは、たとえば、視聴率を調査する会社が管理するサーバであるとする。サービスサーバ８００Ａが提供するサービスは、たとえば、前述した処理により、複数の映像表示装置６００から受信した複数のコンテンツ関連データから構成されるコンテンツ関連データテーブルを使用した、番組の視聴率情報の提供である。サービス提供処理Ｓは、他の処理とは独立して行なわれる処理である。
【０２２１】
図１６は、サービス提供処理Ｓおよび映像表示装置６００で行なわれる処理のフローチャートである。図１６を参照して、サービスサーバ８００Ａが行なうサービス提供処理Ｓでは、まず、ステップＳ３８０の処理が行なわれる。
【０２２２】
ステップＳ３８０では、制御部８１０が、記憶部８２０に記憶されているコンテンツ関連データが所定数以上である否かを判定する。ここで、所定数は、たとえば、“１００”であるとする。ステップＳ３８０において、ＹＥＳならば、ステップＳ３８２に進む。一方、ステップＳ３８０において、ＮＯならば、再度、ステップＳ３８０の処理が行なわれる。ここでは、１００以上のコンテンツ関連データから構成されるコンテンツ関連データテーブルが記憶部８２０に記憶されているとして、ステップＳ３８２に進む。
【０２２３】
ステップＳ３８２では、集計処理Ｓが行なわれる。集計処理Ｓでは、記憶部８２０に記憶されているコンテンツ関連データテーブルに基づいて集計処理が行なわれる。
【０２２４】
具体的には、制御部８１０が、コンテンツ関連データテーブルにおいて、現在の時刻（たとえば、１８時２０分）から、現在の時刻の所定時間（たとえば、１０分）前の時刻（たとえば、１８時１０分）までの期間に受信した複数のコンテンツ関連データを使用して、チャンネル番号毎に、同じチャンネル番号を示すコンテンツ関連データの数の集計を行なうことにより、集計データを生成する。そして、制御部８１０は、生成した集計データを記憶部８２０に記憶させる。生成された集計データは、以下の集計データＳＤ４００であるとする。そして、ステップＳ３８２の処理は終了する。
【０２２５】
図１７は、一例としての集計データＳＤ４００を示す図である。図１７を参照して、集計データＳＤ４００は、チャンネル番号毎に、同じチャンネル番号を示すコンテンツ関連データの数が集計されたデータである。
【０２２６】
集計データＳＤ４００は、たとえば、現在の時刻である１８時２０分から、当該現在の時刻から所定時間（たとえば、１０分）前の１８時１０分までの期間に受信した複数のコンテンツ関連データを使用して、同じチャンネル番号を示すコンテンツ関連データの数が集計されたデータであるとする。この場合、集計データＳＤ４００は、１８時１０分から、現在の時刻である１８時２０分の間に、たとえば、チャンネル番号“３”のＴＶ画像が、２５台の映像表示装置６００で視聴されたことを示す。すなわち、集計データＳＤ４００は、所定期間におけるコンテンツ（たとえば、ＴＶ画像）の視聴情報を示す。
【０２２７】
再び、図１６を参照して、ステップＳ３８２の処理の後、ステップＳ３８４に進む。
ステップＳ３８４では、集計データ送信処理Ｓが行なわれる。集計データ送信処理Ｓでは、制御部８１０が、コンテンツ関連データテーブルに示される、互いに異なる複数の送信元アドレスによりそれぞれ特定される複数の映像表示装置６００の各々へ、集計データを送信する。そして、ステップＳ３８４の処理は終了する。ここで、コンテンツ関連データテーブルは、図１５のコンテンツ関連データテーブルＳＤ３００であり、送信される集計データは、集計データＳＤ４００であるとする。
【０２２８】
なお、前述のステップＳ３８０で判定される内容は、前述した内容に限定されない。たとえば、現在の時刻が、ある特定の時刻であるか否かが判定されてもよい。また、たとえば、ユーザからの要求を受付けたか否かが判定されてもよい。この場合、ユーザからの要求を受付けた場合は、ステップＳ３８４の処理において、制御部８１０は、集計データを、要求したユーザの映像表示装置６００のみへ送信する。
【０２２９】
映像表示装置６００では、ステップＳ３４０の処理が行なわれる。ここで、映像表示装置６００に設定されているネットワークアドレスは、送信元アドレス“１１ＳＮＡＤ”であるとする。
【０２３０】
ステップＳ３４０では、制御部６１０が、集計データを受信したか否かを判定する。ステップＳ３４０において、ＹＥＳならば、ステップＳ３４２に進む。一方、ステップＳ３
４２において、ＮＯならば、再度、ステップＳ３４０の処理が行なわれる。ここでは、図１７の集計データＳＤ４００を受信したとして、ステップＳ３４２に進む。
【０２３１】
ステップＳ３４２では、集計データ表示処理Ｔが行なわれる。集計データ表示処理Ｔでは、制御部６１０が、受信した集計データを記憶部６２０に記憶させる。そして、制御部６１０は、ＶＤＰ６３２を利用して、集計データに基づく集計データ表示画像を生成し、表示部６３０に表示させる。ここで、表示部６３０には、ＴＶ画像が表示されているとする。この場合、集計データ表示画像は、ＴＶ画像の前面に表示される。そして、ステップＳ３４２の処理の後、再度、ステップＳ３４０の処理が行なわれる。
【０２３２】
ここで、集計データは、集計データＳＤ４００であるとする。この場合、集計データ表示画像は、以下の集計データ表示画像Ｇ２１０となる。ＴＶ画像の前面に集計データ表示画像Ｇ２１０を表示した画像は、以下の情報表示画像Ｇ２００となる。
【０２３３】
図１８は、一例としての情報表示画像Ｇ２００を示す図である。図１８を参照して、情報表示画像Ｇ２００には、集計データ表示画像Ｇ２１０が配置される。なお、集計データ表示画像Ｇ２１０の配置位置は、右上に限定されることなく、他の位置であってもよい。
【０２３４】
集計データ表示画像Ｇ２１０は、集計データＳＤ４００に基づいて生成された画像である。集計データ表示画像Ｇ２１０において、「ＣＨ」は、チャンネル番号を示す。 “５”，“２５” ，“４５” ，“１５” ，“１０”の各々は、各チャンネル番号に対応する、所定期間における視聴情報を示す。前述したように、集計データＳＤ４００は、たとえば、現在の時刻である１８時２０分から、当該現在の時刻から所定時間（たとえば、１０分）前の１８時１０分までの期間における視聴情報を示す。集計データ表示画像Ｇ２１０では、たとえば、１８時１０分から、現在の時刻である１８時２０分の間に、たとえば、チャンネル番号“５”のＴＶ画像が、４５台の映像表示装置６００で視聴されたことを示す。
【０２３５】
また、集計データ表示画像Ｇ２１０には、上記の所定期間における視聴情報に応じた棒グラフが表示される。集計データ表示画像Ｇ２１０に表示される星マークは、情報表示画像Ｇ２００に表示されるＴＶ画像のチャンネル番号の横に表示される。したがって、情報表示画像Ｇ２００に表示されているＴＶ画像のチャンネル番号は、“３”であることが認識可能となる。集計データ表示画像Ｇ２１０では、現在、チャンネル番号“５”のＴＶ画像が、最も多くの映像表示装置６００において、ユーザにより視聴されていることを示す。
【０２３６】
表示部６３０に、集計データ表示画像Ｇ２１０が表示されることにより、ユーザは、複数の映像表示装置６００における、複数のコンテンツ（たとえば、複数のチャンネル番号のＴＶ画像）の視聴状態を容易に把握することができる。
【０２３７】
再び、図１６を参照して、サービスサーバ８００Ａが送信した、図１７の集計データＳＤ４００の宛先である、送信元アドレスが異なる複数の映像表示装置６００の各々において、前述のステップＳ３４０、ステップＳ３４２が行なわれことにより、各映像表示装置６００の表示部６３０に、集計データ表示画像Ｇ２１０が表示される。
【０２３８】
サービスサーバ８００Ａでは、ステップＳ３８４の処理の後、ステップＳ３８６に進む。
【０２３９】
ステップＳ３８６では、コンテンツ関連データテーブルに変更があったか否かが判定される。具体的には、制御部８１０が、ステップＳ３８４が行なわれる時点のコンテンツ関
連データテーブルと、現在、記憶部８２０に記憶されているコンテンツ関連データテーブルとが異なるか否かを判定する。
【０２４０】
記憶部８２０に記憶されているコンテンツ関連データテーブルは、サービス提供処理Ｓとは独立して行なわれている、図１３のステップＳ２８２の処理が行なわれる毎に変更される。
【０２４１】
ステップＳ３８６において、ＹＥＳならば、再度、ステップＳ３８２の処理が行なわれる。一方、ステップＳ３８６において、ＮＯならば、再度、ステップＳ３８６の処理が行なわれる。ここで、コンテンツ関連データテーブルに変更があったとして、ステップＳ３８２に進む。
【０２４２】
この場合、前述したのと同様に、ステップＳ３８２，Ｓ３８４の処理が行なわれる。
そして、送信元アドレスが異なる複数の映像表示装置６００の各々では、前述したステップＳ３４０，Ｓ３４２の処理が行なわれる。
【０２４３】
図１に示される、複数の映像表示装置６００の少なくとも１台において、表示部６３０に表示されているコンテンツ（たとえば、ＴＶ画像のチャンネル番号）が変更された場合に、図１３のステップＳ２４４でＹＥＳと判定され、ステップＳ２４３，Ｓ２８０，Ｓ２８２の処理が順に行なわれることにより、コンテンツ関連データテーブルの変更が行なわれる。
【０２４４】
したがって、複数の映像表示装置６００の少なくとも１台において、表示部６３０に表示されているコンテンツが変更される毎に、複数の映像表示装置６００の各々の表示部６３０には、変更後のコンテンツ関連データテーブルにより、再度集計処理された集計データ表示画像が表示される。
【０２４５】
以上説明したように、通信端末装置５００は、ユーザによる、リモコンモードの通信端末装置５００の操作に応じて、映像表示装置６００を操作するための制御信号（リモコン信号）を、映像表示装置６００へ送信する。
【０２４６】
映像表示装置６００は、制御信号に基づいて、表示部６３０に、コンテンツとしてのＴＶ画像を表示させる。すなわち、映像表示装置６００は、リモコンモードの通信端末装置５００を使用して、ユーザにより操作されている。そして、映像表示装置６００は、表示部６３０に表示されているコンテンツの情報を含むコンテンツ関連データを、サービスサーバ８００Ａへ送信する。サービスサーバ８００Ａは、複数の映像表示装置６００から、複数のコンテンツ関連データを受信し、記憶する。
【０２４７】
サービスサーバ８００Ａは、複数のコンテンツ関連データの各々が含むコンテンツの情報（たとえば、チャンネル番号）を使用して、集計処理を行ない、集計処理により生成された集計データを、複数の映像表示装置６００の各々へ送信する。
【０２４８】
複数の映像表示装置６００の各々の表示部６３０には、集計データに基づく集計データ表示画像（たとえば、集計データ表示画像Ｇ２１０）が表示される。集計データ表示画像には、複数の映像表示装置６００の各々の表示部６３０に表示されているコンテンツの視聴情報が表示される。
【０２４９】
以上の処理により、ユーザは、複数の映像表示装置６００における、複数のコンテンツ（たとえば、複数のチャンネル番号のＴＶ画像）の視聴状態を容易に把握することができる。すなわち、ユーザの操作する映像表示装置６００の表示部６３０にコンテンツの視聴
情報を表示するためのサービスが、サービスサーバ８００Ａから映像表示装置６００に提供される。
【０２５０】
したがって、ユーザは、提供されたサービスを迅速に気付くことができる。その結果、迅速に、サービスを享受することができるという効果を奏する。
（機能ブロック図）
図１９は、本実施の形態における制御部５１０、制御部６１０および制御部８１０の機能ブロック図である。図１９を参照して、制御部５１０は、送信部５１２を含む。制御部６１０は、第１受信部６１２と、送信部６１４とを含む。制御部８１０は、第２受信部８１２と、提供部８１４とを含む。
【０２５１】
送信部５１２は、通信端末装置５００を識別するための端末識別情報を含むとともに、ユーザの指示入力に応じて、映像表示装置６００を操作するための制御信号を、映像表示装置６００へ送信する。
【０２５２】
第１受信部６１２は、制御信号を受信する。映像表示装置６００の表示部６３０は、受信された制御信号に基づいて、コンテンツを表示する。送信部６１４は、表示部６３０により表示されているコンテンツの情報と、制御信号に含まれる端末識別情報と、映像表示装置６００を特定するための表示装置特定情報とを含むコンテンツ関連データを、サービスサーバ８００Ａへ送信する。
【０２５３】
第２受信部８１２は、送信部６１４により送信されたコンテンツ関連データを受信する。映像表示装置６００の記憶部８２０は、コンテンツ関連データを記憶する。提供部８１４は、サービスを、コンテンツ関連データに含まれる表示装置特定情報により特定される映像表示装置６００へ提供する。
【０２５４】
なお、制御部５１０に含まれる、送信部５１２は、ハードウエアで構成されてもよい。また、制御部６１０に含まれる、第１受信部６１２および送信部６１４の全てまたは一部は、ハードウエアで構成されてもよい。また、制御部８１０に含まれる、第２受信部８１２および提供部８１４の全てまたは一部は、ハードウエアで構成されてもよい。
【０２５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２５６】
【図１】本実施の形態におけるネットワークシステムの構成を示す図である。
【図２】通信端末装置の外観を正面から示した図である。
【図３】通信端末装置の外観を左側面から示した図である。
【図４】通信端末装置の外観を背面から示した図である。
【図５】通信端末装置の内部構成を示したブロック図である。
【図６】映像表示装置の外観を正面から示した図である。
【図７】映像表示装置の内部構成を示したブロック図である。
【図８】サービスサーバの内部構成を示したブロック図である。
【図９】一例としてのリモコン画像を示す図である。
【図１０】操作判定処理Ｍおよび制御信号対応処理Ｔのフローチャートである。
【図１１】番組データ取得処理Ｔおよびサービスサーバで行なわれる処理のフローチャートである。
【図１２】一例としてのＥＰＧデータを示す図である。
【図１３】コンテンツ取扱い処理のフローチャートである。
【図１４】一例としてのコンテンツ関連データを示す図である。
【図１５】一例としてのコンテンツ関連データテーブルを示す図である。
【図１６】サービス提供処理Ｓおよび映像表示装置で行なわれる処理のフローチャートである。
【図１７】一例としての集計データを示す図である。
【図１８】一例としての情報表示画像を示す図である。
【図１９】本実施の形態における３つの異なる制御部の機能ブロック図である。
【符号の説明】
【０２５７】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008131376.tif 000003
【図２】
2008131376.tif 000004
【図３】
2008131376.tif 000005
【図４】
2008131376.tif 000006
【図５】
2008131376.tif 000007
【図６】
2008131376.tif 000008
【図７】
2008131376.tif 000009
【図８】
2008131376.tif 000010
【図９】
2008131376.tif 000011
【図１０】
2008131376.tif 000012
【図１１】
2008131376.tif 000013
【図１２】
2008131376.tif 000014
【図１３】
2008131376.tif 000015
【図１４】
2008131376.tif 000016
【図１５】
2008131376.tif 000017
【図１６】
2008131376.tif 000018
【図１７】
2008131376.tif 000019
【図１８】
2008131376.tif 000020
【図１９】
2008131376.tif 000021